(57)【要約】【課題】簡素な構成で、浴室の排水口自体のぬめりやカビの発生を抑制し、排水口の清掃作業と排水口に溜まったゴミの除去作業の負担を軽減することができる浴槽フランジ内蔵乾燥装置および浴室を提供する。【解決手段】浴槽フランジ内蔵乾燥装置１は、浴槽のフランジ下のスペース、たとえば浴槽３と浴槽エプロン４とのあいだのスペースＳに送風部５を収納し、送風部から送出される空気を、吹出口７から斜め下方に吹き出し、浴室２の排水口８に当ててこの排水口自体と排水口に溜まったゴミとを乾燥する。【選択図】    図２
2004264001.tif 000002
【特許請求の範囲】
【請求項１】
浴槽のフランジ下のスペースに送風部を収納し、
この送風部から送出される空気を、吹出口から斜め下方または下方に吹き出し、浴室の排水口に当ててこの排水口自体とこの排水口に溜まったゴミとを乾燥するようにしたことを特徴とする浴槽フランジ内蔵乾燥装置。
【請求項２】
浴槽と浴槽エプロンとの間のスペースに送風部を収納し、
この送風部から送出される空気を、吹出口から斜め下方または下方に吹き出し、浴室の排水口に当ててこの排水口自体とこの排水口に溜まったゴミとを乾燥するようにしたことを特徴とする浴槽フランジ内蔵乾燥装置。
【請求項３】
請求項１または２に記載の浴槽フランジ内蔵乾燥装置であって、
前記送風部は、前記空気を送出する送風機と前記空気を暖めるヒータとを有し、前記吹出口から温風を吹き出すようにしたことを特徴とする浴槽フランジ内蔵乾燥装置。
【請求項４】
請求項１，２または３に記載の浴槽フランジ内蔵乾燥装置であって、
前記吹出口は、前記排水口の斜め上方または上方に配置されるとともに前記排水口に対向するように浴槽エプロンに斜め方向または水平方向を向いて設けられていることを特徴とする浴槽フランジ内蔵乾燥装置。
【請求項５】
請求項１ないし４のいずれかの項に記載の浴槽フランジ内蔵乾燥装置であって、
前記吹出口には、この吹出口から吹き出される前記空気の向きを前記排水口の方向に調節可能な風向調節手段を設けたことを特徴とする浴槽フランジ内蔵乾燥装置。
【請求項６】
請求項１ないし５のいずれかの項に記載の浴槽フランジ内蔵乾燥装置であって、
前記排水口は、排水を排出し前記ゴミを溜めるために洗い場のフロアに設けられた凹状のゴミ回収部と、このゴミ回収部の上部開口を覆う着脱可能な蓋部材とを有し、この蓋部材には貫通孔が穿設されていることを特徴とする浴槽フランジ内蔵乾燥装置。
【請求項７】
請求項６に記載の浴槽フランジ内蔵乾燥装置であって、
前記貫通孔は、前記吹出口から前記排水口に向けて吹き出される前記空気の向きとほぼ一致する方向を向いて、前記蓋部材に穿設されていることを特徴とする浴槽フランジ内蔵乾燥装置。
【請求項８】
請求項１ないし７のいずれかの項に記載の浴槽フランジ内蔵乾燥装置が設置されたことを特徴とする浴室。
【発明の詳細な説明】
【０００１】
【発明の属する技術分野】
本発明は、浴室の排水口自体とこの排水口に溜まったゴミとを乾燥させるために、浴槽のフランジ下のスペースに送風部が収納された浴槽フランジ内蔵乾燥装置に関する。
【０００２】
【従来の技術】
住宅などに設置される浴室の排水口は、排水が集まる場所であり、浴室の洗い場フロアの端部（たとえば、カウンターの下や浴槽エプロンの陰など）に設置される場合が多い。そのため、従来の浴室換気装置や浴室乾燥機では、排水口は乾燥しにくく湿った状態になりがちである。
浴室の乾燥，暖房などを行う従来の技術は、特許文献１（特開２０００−３００４５３号公報），特許文献２（特開２０００−１８６２２号公報）などに開示されている。
【０００３】
【特許文献１】
特開２０００−３００４５３号公報
【特許文献２】
特開２０００−１８６２２号公報
【０００４】
【発明が解決しようとする課題】
前記特許文献１に記載の浴室空調装置は、空調風発生要素が浴槽エプロンの内面側に隠蔽された状態で設置され、この空調風発生要素から空調風が浴室の洗い場に向けて送出されるようになっている。
しかしながら、この浴室空調装置は、空調風が浴室の排水口に直接当たるような構成ではなく、また、排水口は、排水が集まる場所であるので乾燥しにくく常に湿った状態になる。
しかも、排水口に溜まった髪の毛，石鹸かす，垢などのゴミは排水を多く含んで濡れたままの状態なので、排水口は、ぬめり易くカビが発生することもあって不衛生になりがちである。そのため、ユーザーが浴室の清掃を行う際、特に排水口の清掃に関しては嫌悪感を覚えることの多い箇所になっている。
【０００５】
一方、特許文献２に記載の浴室暖房・乾燥装置では、浴槽の裏面空間および浴槽の上横壁面または浴槽リム上面に温風の吹出口を設け、必要に応じて吹出口を切り替えて使用するようにしている。
この浴室暖房・乾燥装置によれば、浴槽裏面部やこれに連なる排水溝やグレーチングなどを乾燥することができると記載されているが、この装置は、浴室の暖房，浴室や衣類の乾燥などが主な目的なので、出力が大きく装置全体が大掛かりなものになっていた。
【０００６】
本発明は、このような課題を解決するためになされたもので、簡素な構成で、浴室の排水口自体の「ぬめり」や「カビ」の発生を抑制し、排水口の清掃作業とこの排水口に溜まったゴミの除去作業の負担を軽減することができる浴槽フランジ内蔵乾燥装置および浴室を提供することを目的とする。
【０００７】
【課題を解決するための手段】
上述の目的を達成するため、本発明にかかる浴槽フランジ内蔵乾燥装置は、浴槽のフランジ下のスペースに送風部を収納し、この送風部から送出される空気を、吹出口から斜め下方または下方に吹き出し、浴室の排水口に当ててこの排水口自体とこの排水口に溜まったゴミとを乾燥するようにしている。
好ましい実施態様にかかる浴槽フランジ内蔵乾燥装置は、浴槽と浴槽エプロンとの間のスペースに送風部を収納し、この送風部から送出される空気を、吹出口から斜め下方または下方に吹き出し、浴室の排水口に当ててこの排水口自体とこの排水口に溜まったゴミとを乾燥するようにしている。
前記送風部は、前記空気を送出する送風機と前記空気を暖めるヒータとを有し、前記吹出口から温風を吹き出すのが好ましい。
前記吹出口は、前記排水口の斜め上方または上方に配置されるとともに前記排水口に対向するように前記浴槽エプロンに斜め方向または水平方向を向いて設けられているのが好ましい。
前記吹出口には、この吹出口から吹き出される前記空気の向きを前記排水口の方向に調節可能な風向調節手段を設けるのが好ましい。
前記排水口は、排水を排出し前記ゴミを溜めるために洗い場のフロアに設けられた凹状のゴミ回収部と、このゴミ回収部の上部開口を覆う着脱可能な蓋部材とを有し、この蓋部材には貫通孔が穿設されているのが好ましい。
また、前記貫通孔は、前記吹出口から前記排水口に向けて吹き出される前記空気の向きとほぼ一致する方向を向いて、前記蓋部材に穿設されているのが好ましい。
本発明にかかる浴室には、前記構成の浴槽フランジ内蔵乾燥装置が設置されている。
【０００８】
【発明の実施の形態】
以下、本発明にかかる実施の形態の一例を、図１ないし図８を参照して説明する。
図１は、浴槽フランジ内蔵乾燥装置（以下、乾燥装置と記載）を有する浴室の斜視図、図２は図１に示す浴室の部分断面図、図３は前記乾燥装置の断面図、図４は、浴室の清掃時の状態を示す浴室の斜視図である。
図５は、第１の変形例にかかる乾燥装置の断面図で図３相当図、図６は、第２の変形例にかかる乾燥装置の断面図で図３相当図、図７は、第３の変形例にかかる乾燥装置を有する浴室の斜視図、図８は図７に示す浴室の側面断面図である。
【０００９】
図１ないし図８に示すように、浴室（たとえば、システムバスルーム）２，２ａには本発明の乾燥装置（浴槽フランジ内蔵乾燥装置）１，１ａ，１ｂが設置されている。浴室２，２ａは、一戸建て住宅，集合住宅，ホテルなどに設置されており、浴室ユニットの場合が多いがユニット化されていなくてもよい。
乾燥装置１，１ａ，１ｂは、浴槽３のフランジ３ａの下のスペースＳに送風部５を収納（内蔵）し、送風部５から送出される空気６を、吹出口７（または７ａ）から斜め下方または下方に吹き出し、浴室２，２ａの排水口８に当てて排水口８自体と排水口８に溜まったゴミ（髪の毛，石鹸かす，垢など）９とを乾燥するように構成されている
たとえば、図１ないし図６に示す乾燥装置１，１ａでは、浴槽３と浴槽エプロン４（または４ａ）とのあいだのスペースＳに、送風部５を収納している。そして、送風部５から送出される空気６を、吹出口７（または７ａ）から斜め下方または下方に吹き出し、浴室２の排水口８に当てて排水口８自体と排水口８に溜まったゴミ９とを乾燥している。
このような簡素な構成の乾燥装置１，１ａ，１ｂで、排水口８自体のぬめりやカビの発生を抑制し、排水口８の清掃作業とこの排水口８に溜まったゴミ９の除去作業の負担を軽減している。
【００１０】
図１ないし図４は、本発明の典型的な一実施形態を示している。浴室２の内部には、浴槽３，洗い場１０，カウンター１２などが設けられている。浴槽３は、浴室２の底部に配置され防水機能を有する防水パン１３上に設置されている。浴槽３のフランジ３ａは、浴槽３上部の全周縁の額縁形状の部分のことである。
防水パン１３と洗い場１０のフロア１１は、それぞれ板状に一体的に形成されている。防水パン１３と洗い場フロア１１が連続的に一体化した場合を示しているが、別体であってもよい。
【００１１】
浴槽３の側部は、縦方向に配置された浴槽エプロン４で覆われている。本実施形態では、浴槽３の前方側（図２の左側）と右側が、浴槽エプロン４で覆われた場合を示している。
浴槽エプロン４の上端部は、浴槽３のフランジ３ａの前垂部１４に係合している。浴槽エプロン４の下部は、防水パン１３上に配置されて防水パン１３に支持されている。
浴槽エプロン４の下部に形成された底板部１５が防水パン１３上に載置され、底板部１５の端面１６が浴槽３の下部外周面１７に当接またはその近傍に位置している。このようにして、浴槽３と浴槽エプロン４とのあいだには、スペースＳが形成されている。
送風部５が取付けられる位置では、浴槽エプロン４の底板部１５は水平に形成され、送風部５は、底板部１５上に設置された状態でスペースＳ内に収納されている。
このように、送風部５が浴槽３のフランジ３ａの下のスペースに収納される例として、本実施形態では、送風部５が浴槽３と浴槽エプロン４とのあいだのスペースＳに収納されている場合を示している。
送風部５の設置場所の変形例として、たとえば、送風部５を浴槽エプロンの上部または浴槽のフランジ３ａからスペースＳ内に吊り下げた場合、または、浴槽エプロンの内側面または浴槽の側面に送風部５を取付けてスペースＳ内に配置した場合、または、防水パンまたは洗い場フロアに架台（支持台）を設け、この架台の上に送風部５を載置することによりスペースＳ内に配置した場合などであってもよい。
【００１２】
吹出口７は、浴槽エプロン４の下方で且つ底板部１５より上方に位置して、浴槽エプロン４に設けられている。吹出口７は、排水口８（以下、図６に示す排水口８も含む）の斜め上方に配置され、排水口８に対向するように浴槽エプロン４に斜め方向を向いて設けられている。したがって、送風部５から送出される空気６が、吹出口７から斜め下方に吹き出て排水口８に直接当たることになる。
なお、吹出口７を防水パンに設けてもよく、または、洗い場フロアを浴槽エプロン側に一体的に延ばしてこの洗い場フロアに吹出口７を設けた場合でもよい。
【００１３】
浴槽エプロン４の洗い場１０側の表板４０は、ほぼ垂直方向に配置されて洗い場１０側に若干張り出している。吹出口７を浴槽エプロン４に斜めに設けたので、表板４０の張り出し寸法Ｌを小さくして、洗い場１０のスペースを広く確保することができる。
送風部５は、空気６を送出する送風機と、空気を暖めるヒータと、吹出口７に接続される配管５ａと、その他の部品とを有し、送風機で吹出口７から温風を吹き出す。排水口８自体とこの排水口８に溜まったゴミ９に温風（空気）６を当てれば排水口８自体とゴミ９が早く乾燥するので、送風部５の運転時間を短くすることができる。
なお、送風部５のヒータを省略して、送風機で吹出口７から冷風（空気）６を吹き出すようにしてもよい。この冷風の場合には、温風と比べて送風部５の運転時間が長くなる。
【００１４】
吹出口７には、この吹出口７から吹き出される空気（温風または冷風）６の向きを排水口８の方向に調節可能な風向調節手段１８が設けられ、この風向調節手段１８は角度調節可能な複数の羽根を有している。
この複数の羽根を、全体的にまたは個別に角度調節して位置決めすれば、吹出口７から吹き出される空気６が排水口８を目掛けて流れ、排水口８自体と排水口８に溜まったゴミ９とを効果的に乾燥させることができる。
なお、風向調整手段１８の羽根は、吹出口７の外面から外方に突出していてもよいが、図３（および図５，図６，図８）に示すように吹出口７の外面より内方に収納されている方が、邪魔にならず且つ水で濡れにくいので好ましい。
【００１５】
洗い場フロア１１には排水口８が設けられており、この排水口８に水が集まるように洗い場フロア１１は若干傾斜している。排水口８は、浴槽３の前方側で且つ浴槽３のほぼ中央部（または、その近傍）の下方に配置されている。
排水口８は、排水１９を排出しゴミ９を溜めるために洗い場フロア１１に設けられた凹状のゴミ回収部２０と、ゴミ回収部２０の上部開口を覆う着脱可能な蓋部材２１とを有している。
排水口８は、浴槽３に近く且つ浴槽エプロン４の下方に配置されているので、送風部５と吹出口７を排水口８のすぐ近傍に配置して、吹出口７から空気６を勢いよく排水口８に向けて吹き出すことができる。
通常、排水口８は浴槽３の近くに配置されているが、これは、浴槽３から排出される排水と排水口８から排出される排水とを排水パイプで合流させて外部に流すためでもある。
【００１６】
ゴミ回収部２０の下部には、このゴミ回収部２０と連通するトラップ２２が設けられ、トラップ２２内には常に水が溜まって封水されている。ゴミ回収部２０の底板２６には、トラップ２２と連通する多数の孔２５が貫通形成されている。
この孔２５は、髪の毛などゴミ９が通過しないような小さな形状になっている。ゴミ回収部２０には、孔２５が形成されているのでゴミ９のみが溜まり、排水は孔２５を通ってトラップ２２に流れ落ちる。
蓋部材２１は、板状をなして一体的に形成されており、ゴミ回収部２０の上部に形成された被係合部２３に着脱可能に取付けられている。蓋部材２１には貫通孔２４が穿設されている。
貫通孔２４は、長細いスリット状をなして互いに平行に複数形成されている。なお、この貫通孔２４は、各孔が円形またはその他の形状をなして複数形成された場合や、一つまたは複数の孔が模様状に形成された場合であってもよい。また、蓋部材２１をたとえばステンレス鋼製として板厚を薄くした場合には、空気６が蓋部材２１に斜めに当たっても貫通孔２４を通過しやすいので好ましい。
洗い場１１で使用された湯水は、排水口８に集められ、蓋部材２１の貫通孔２４を通ってゴミ回収部２０内に流入し、その後、トラップ２２を通り排水１９となって浴室２の外部に排出される。
一方、湯水と一緒に洗い場フロア１１を流れたゴミ９は、貫通孔２４を通過してゴミ回収部２０に溜められる。
【００１７】
乾燥装置１をオン，オフするためのスイッチが、浴室２の外側たとえば浴室２用の出入口ドアの近傍などに設けられている。入浴後にスイッチを操作して乾燥装置１をオンすれば、送風部５の送風機とヒータが、所定時間のあいだ運転された後、タイマーにより自動的に停止するようになっている。なお、タイマーを設けずにユーザーが手動で停止してもよい。
送風部５の運転中は、送風部５から送出される空気６が、風向調整手段１８によりその風向を排水口８の方向に向けて、吹出口７から斜め下方に吹き出される。吹出口７から吹き出た空気６は、排水口８に直接当たってこの排水口８を乾燥させるとともに、空気６は、貫通孔２４を通ってゴミ回収部２０内に入り、ゴミ回収部２０に溜まったゴミ９と排水口８の内部とを乾燥させたのち、貫通孔２４から上方に排出される。
本実施形態では、ヒータで空気６を暖めて温風にしているので、排水口８自体とこの排水口８に溜まったゴミ９とを短時間で乾燥させることができる。この場合、トラップ２２の封水が温風６により蒸発しすぎて封水状態が解除されないように、温風６の風量，その風速，送風部５の運転時間などを予め設定しておく。
【００１８】
このように、排水口８自体と排水口８に溜まったゴミ９とを濡れたままにせずに乾燥装置１で乾燥させているので、排水口８にぬめりやカビなどが発生しにくくなり、排水口８を常時清潔な状態にすることができる。
浴室２を清掃する際、ユーザー３１は、家庭用で汎用の掃除機３０などを使用して、部屋などを掃除するのと同じような感覚で排水口８の清掃を容易に行うことができる。
ユーザー３１は、ゴミ９に直接手で触らずにこれを処理できるので、排水口８の清掃作業とこの排水口８に溜まったゴミ９の除去作業の負担が軽減し、従来のような清掃時の嫌悪感を覚えるようなことはなくなる。なお、掃除機３０の代わりに手でゴミ９をそれほど抵抗感なく取り除くこともできる。
送風部５は、排水口８に当てるだけの少流量の空気６を送出すればよいので、コンパクトな送風部５をスペースＳに設置し、浴槽エプロン４などに吹出口７を設ければよい。したがって、従来のような大掛かりな装置は不要で、乾燥装置１を簡素な構成にすることができる。
【００１９】
図５に示す第１の変形例にかかる乾燥装置１ａでは、送風部５から送出される空気６を、浴槽エプロン４ａに設けられた吹出口７ａから下方に吹き出して、排水口８自体と排水口８に溜まったゴミ９とを乾燥するようにしている。この場合の排水口８は、より浴槽３に近い位置に配置されている。
吹出口７ａは、排水口８の上方（または、ほぼ上方）に配置されるとともに排水口８に対向するように浴槽エプロン４ａに水平方向を向いて設けられている。なお、乾燥装置１ａの他の構成は前記実施形態の乾燥装置１と同じである。
吹出口７ａが水平に配置されているので、浴槽エプロン４ａの表板４０の張り出し寸法Ｌは若干大きくなっているが、吹出口７ａを、より排水口８に近づけて配置することができる。したがって、空気（好ましくは、温風）６を排水口８に勢いよく当てて、排水口８自体と排水口８内のゴミ９とを効果的に乾燥させることができる。
【００２０】
図６に示す第２の変形例にかかる乾燥装置１は、排水口８の蓋部材２１ａの構成が若干異なっているほかは前記実施形態の乾燥装置１と同じである。
この第２の変形例では、貫通孔２４ａが、吹出口７から排水口８に向けて吹き出される空気６の向きとほぼ一致する方向を向いて、蓋部材２１ａに穿設されている場合の一例を示している。
排水口８は、ゴミ回収部２０と、ゴミ回収部２０の上部開口を覆う着脱可能な蓋部材２１ａとを有している。蓋部材２１ａには、側面断面視で吹出口７の方向を向くように貫通孔２４ａが斜めに穿設されている。すなわち、貫通孔２４ａは、蓋部材２１ａの表面に対して所定角度傾斜して形成されている。
これにより、吹出口７から排水口８に向かって吹き出される空気６の流れ方向と、貫通孔２４ａの方向とがほぼ一致する。その結果、吹出口７から排水口８に向けて吹き出た空気６の大部分は、排水口８に当たってこの排水口８を乾燥させるとともに、貫通孔２４ａをスムーズに通過し、ゴミ回収部２０内に入ってゴミ９と排水口８の内部を効果的に乾燥させることができる。
【００２１】
図６に示す第２の変形例では、他の構成部材は前記実施形態と同じであるので、排水口８における前記実施形態の蓋部材のみを蓋部材２１ａに交換すればよく、構成部材（部品）の共通化が図れる。
なお、排水口の蓋部材は、平面状の場合が多いが段状やその他の異形状であってもよく、この場合でも、貫通孔が、吹出口から排水口に向けて吹き出される空気の向きとほぼ一致する方向を向いて、蓋部材に穿設されているのが好ましい。
図５に示す乾燥装置１ａおよび図６に示す乾燥装置１においても、前記実施形態の乾燥装置１と同じ作用効果を奏する。
【００２２】
図７，図８に示す第３の変形例の浴室２ａでは、浴槽３の前方側のみが浴槽エプロン４で覆われ、浴槽３の右側が壁５０に直接面している。洗い場フロア１１に設けられた排水口８は、浴槽３の前方側（図８の左方）で且つ浴槽３の右側下方に配置されている。
浴室２ａには乾燥装置１ｂが設置されている。この乾燥装置１ｂでは、送風部５が浴槽３のフランジ３ａの下のスペースに収納されている例として、送風部５が浴槽３と右側の壁５０とのあいだのスペースＳに収納されている場合を示している。
なお、浴槽３の左側が壁に直接面し、且つ、洗い場フロア１１に設けられた排水口８が、浴槽３の前方側で且つ浴槽３の左側下方に配置している場合には、送風部５を浴槽３と左側の壁とのあいだのスペースに収納することができる。
【００２３】
乾燥装置１ｂでは、送風部５から送出される空気６を、吹出口７（または、図５に示す吹出口７ａ）から斜め下方または下方に吹き出し、浴室２ａの排水口８に当てて排水口８自体と排水口８に溜まったゴミ９とを乾燥している。
送風部５は、保持部材（たとえば、所定形状の金具）５１を介して壁５０に保持されている。なお、送風部５を、壁５０側に保持する代わりに所定の保持部材（図示せず）で浴槽３側に保持して、浴槽３と壁５０とのあいだのスペースＳに収納する場合、または、防水パン１３に支持台（図示せず）を設け、送風部５を支持台で支持することにより、浴槽３と壁５０とのあいだのスペースＳに収納した場合などであってもよい。
【００２４】
送風部５は、浴槽エプロン４より所定距離離れた後方に位置することになるので、送風機と吹出口７とを接続する配管５ａの長さが前後方向に長くなる。乾燥装置１ｂは、送風部５と排水口８の配置位置と、配管５ａの形状が若干異なっているほかは前記実施形態および第１の変形例，第２の変形例の乾燥装置とほぼ同じである。
送風部５は浴槽エプロン４に直接取付けられていないので、送風部５の保持のために浴槽エプロン４を強固にする必要がなく、また、送風部５の振動や音が浴槽エプロン４に伝わりにくく運転時に静かであるという利点がある。
図７に示すように排水口８が壁５０よりに位置している場合、送風部５を排水口８から近距離の位置に設置することができる。
この第３の変形例の乾燥装置１ｂにおいても、前記実施形態，各変形例の乾燥装置１，１ａと同じ作用効果を奏する。
【００２５】
前記実施形態および各変形例で説明したように、本発明の乾燥装置１，１ａ，１ｂは、コンパクトな送風部５を浴槽３のフランジ３ａ下のスペース（たとえば、浴槽３と浴槽エプロン４，４ａとのあいだのスペース、または、浴槽３と壁５０とのあいだのスペース）Ｓに収納することができる。
したがって、浴室２内のスペースを犠牲にすることがなく、また、送風部５は外部から見えないので外観上好ましい。送風部５は、小型で低出力なのでスペースＳに容易に収納でき且つ安価である。
吹出口７，７ａは、排水口８の斜め上方または上方に配置されるとともに排水口８に対向するように浴槽エプロン４，４ａに斜め方向または水平方向を向いて設けられているので、吹出口７，７ａから湯水が送風部５内に浸入するのを防止することができる。
排水口８に対して斜め上方または上方から空気６を当てているので、排水口８自体の構成を特殊なものにする必要はない。したがって、既設の浴室２，２ａに本発明の乾燥装置１，１ａ，１ｂを容易に増設することができる。
入浴時に風向調節手段１８を調節して、温風６が吹出口７，７ａから洗い場１０側に吹き出るようにすれば、乾燥装置１，１ａ，１ｂは、洗い場フロア１１の乾燥や入浴時の足下暖房としても機能する。
なお、前記実施形態および各変形例を任意に組み合わせて本発明の乾燥装置を構成することができる。
【００２６】
以上、本発明の実施形態（各変形例を含む）を説明したが、本発明は、上述の実施形態に限定されるものではなく、本発明の要旨の範囲で種々の変形，付加などが可能である。
なお、各図中同一符号は同一または相当部分を示す。
【００２７】
【発明の効果】
本発明は上述のように構成したので、簡素な構成で、浴室の排水口自体のぬめりやカビの発生を抑制し、排水口の清掃作業と排水口に溜まったゴミの除去作業の負担を軽減することができる。
【図面の簡単な説明】
【図１】図１ないし図８は本発明の実施形態の一例を示す図で、図１は、乾燥装置を有する浴室の斜視図である。
【図２】図１に示す浴室の部分断面図である。
【図３】乾燥装置の側面断面図である。
【図４】清掃時の状態を示す浴室の斜視図である。
【図５】第１の変形例にかかる乾燥装置の側面断面図で、図３相当図である。
【図６】第２の変形例にかかる乾燥装置の側面断面図で、図３相当図である。
【図７】第３の変形例にかかる乾燥装置を有する浴室の斜視図である。
【図８】図７に示す浴室の側面断面図である。
【符号の説明】
１，１ａ，１ｂ    浴槽フランジ内蔵乾燥装置
２，２ａ  浴室
３        浴槽
３ａ      フランジ
４，４ａ  浴槽エプロン
５        送風部
６        空気
７，７ａ  吹出口
８        排水口
９        ゴミ
１１      洗い場フロア
１８      風向調節手段
１９      排水
２０      ゴミ回収部
２１，２１ａ    蓋部材
２４，２４ａ    貫通孔
Ｓ        スペース
【図１】
2004264001.tif 000003
【図２】
2004264001.tif 000004
【図３】
2004264001.tif 000005
【図４】
2004264001.tif 000006
【図５】
2004264001.tif 000007
【図６】
2004264001.tif 000008
【図７】
2004264001.tif 000009
【図８】
2004264001.tif 000010